(57)【要約】【課題】たとえば不使用時の収納や携行に便利なようにコンパクトに折り畳むことができるとともに、たとえば乗用車等の車両内に設置してペットを安全かつ安定に収容するのに使用して好適あり、さらに状況に応じた多様な使用方法が可能なペット用シートを提供する。【解決手段】全体が略シート状であって、該シート状の側辺部に折返部１３を有するシート本体１０と、前記シート本体１０に設けられてシート本体を所定の場所に固定可能な固定手段を備え、前記折返部は、前記固定手段に係止可能な係止部を有することを特徴とする。【選択図】  図１
2005333834.tif 000002
【特許請求の範囲】
【請求項１】
全体が略シート状であって、該シート状の側辺部に折返部を有するシート本体と、前記シート本体に設けられてシート本体を所定の場所に固定可能な固定手段を備え、
前記折返部は、前記固定手段に係止可能な係止部を有すること
を特徴とするペット用シート。
【請求項２】
前記ペット用シートは、前記固定手段により車両等における前部座席の背もたれ部と後部座席の背もたれ部との間に跨って固定する場合において、前記係止部を前記固定手段に係止又は解除することにより、袋状とすること又はシート状にすることが可能な請求項１に記載のペット用シート。
【請求項３】
前記折返部は、シート本体の一対の側辺部を、シート本体の中央面部に向って折り返して袋部が形成され、該袋部は両端部が結合していることを特徴とする請求項１又は請求項２に記載のペット用シート。
【請求項４】
前記折返部は、前記シート本体の側辺部に別体で設けられていることを特徴とする請求項１又は請求項２に記載のペット用シート。
【請求項５】
前記固定手段は、前記一対の側辺部以外の側辺部に設ける構成としたことを特徴とする請求項１乃至請求項４のうち、いずれか１に記載のペット用シート。
【請求項６】
前記固定手段は、帯状部材と、該帯状部材を連結可能な連結具とを有することを特徴とする請求項１乃至請求項５のうち、いずれか１に記載のペット用シート。
【請求項７】
前記固定手段は、帯状部材と、前記一対の側辺部以外の側辺部に設けられて前記帯状部材の一端を連結可能な第１の連結具と、前記折返部の底辺部に設けられて前記帯状部材の他端を連結可能な第２の連結具とを有する構成としたことを特徴とする請求項１乃至請求項４のうち、いずれか１に記載のペット用シート。
【請求項８】
前記折返部は、折返部の中央部近傍を吊り上げ可能な吊上具を設ける構成としたことを特徴とする請求項１乃至請求項７のうち、いずれか１に記載のペット用シート。
【請求項９】
前記係止部は、前記袋部の両端部から所定の長さだけ中央部に寄った袋口部に設ける構成としたことを特徴とする請求項１乃至請求項８のうち、いずれか１に記載のペット用シート。
【請求項１０】
前記シート本体は、撥水性・耐候性・耐水性等を有するポリエステルその他の合成樹脂製のシート表面部と、耐候性・耐水性・耐熱性・耐電圧性を有するポリ塩化ビニルその他の合成樹脂製材をコーティングしてあるシート裏面部とにより形成されている請求項１乃至請求項９のうち、いずれか１に記載のペット用シート。
【発明の詳細な説明】
【技術分野】
【０００１】
本発明は、犬や猫等のペットを車両に乗せた場合に、ペットの抜け毛・餌・排泄物等により、車両の座席やフロアの汚損を防止することが可能であり、かつ、シート状又は袋状の使用形態を簡単に変更可能なペット用シートに関する。
【背景技術】
【０００２】
従来、犬や猫等のペットを自動車などの車両に乗せる場合には、車内に汚損防止用のペット用シートを装着してこの上にペットを乗せることが行われており、このようなペット用シートとしては、特許文献１に記載の車両用フラットシート形成器などが一例として挙げられる。
【０００３】
特許文献１に記載のペット用シートは、長尺な筒型のシートケース内に回動可能に装着されたシート巻取りノブにシートを巻き込んで収納し、使用時には、そのケースに収納されたシートを繰り出して車両の前部座席裏面と後部座席背凭れ部分にかけて断面概略Ｕ字状に張るようになっている。
【０００４】
【特許文献１】実開平５−５６５８６
【発明の開示】
【発明が解決しようとする課題】
【０００５】
しかしながら、特許文献１に記載のペット用シートは、シートを巻き込んで収納するシートケースが長尺で嵩張るために、不使用時の収納や携行に不便であるという問題があった。また、特許文献１に記載のペット用シートは、シートケースから繰り出されるシートの側辺部が平滑に構成されており、ペットの抜け毛・餌・排泄物等は、シートの側面部から車両のフロアや座席に流れ出してしまうので、車両のフロアや座席の汚損を確実に防止することができない。さらに、車両に設置した場合であっても、車両の内壁面（ドアの内側など）は前記シートでは覆うことができないので、ペットが車両の内壁面を傷付けることも防止することができない。
【０００６】
本発明は以上のような従来の問題を鑑みたものであって、犬や猫等のペットを車両に乗せた場合に、ペットの抜け毛・餌・排泄物等により、車両の座席やフロアの汚損を防止することが可能であり、かつ、シート状又は袋状の使用形態を簡単に変更可能なペット用シートを提供することを目的とするものである。
【課題を解決するための手段】
【０００７】
本発明の解決手段は次の（１）のとおりである。
【０００８】
（１）全体が略シート状であって、該シート状の側辺部に折返部を有するシート本体と、前記シート本体に設けられてシート本体を所定の場所に固定可能な固定手段を備え、前記折返部は、前記固定手段に係止可能な係止部を有することを特徴とするペット用シート。
【０００９】
（２）前記ペット用シートは、前記固定手段により車両等における前部座席の背もたれ部と後部座席の背もたれ部との間に跨って固定する場合において、前記係止部を前記固定手段に係止又は解除することにより、袋状とすること又はシート状にすることが可能な前記（１）に記載のペット用シート。
【００１０】
前記（１）又は（２）においては、さらに次のような手段を備えることが好適又は望ましい。
【００１１】
（３）前記折返部は、シート本体の一対の側辺部を、シート本体の中央面部に向って折り返して袋部が形成され、該袋部は両端部が結合していることを特徴とする前記（１）又は（２）に記載のペット用シート。
【００１２】
（４）前記折返部は、前記シート本体の側辺部に別体で設けられていることを特徴とする前記（１）乃至（３）のうち、いずれかに記載のペット用シート。
【００１３】
（５）前記固定手段は、前記一対の側辺部以外の側辺部に設ける構成としたことを特徴とする前記（１）乃至（４）のうち、いずれかに記載のペット用シート。
【００１４】
（６）前記固定手段は、帯状部材と、該帯状部材を連結可能な連結具とを有することを特徴とする前記（１）乃至（５）のうち、いずれか１に記載のペット用シート。
【００１５】
（７）前記固定手段は、帯状部材と、前記一対の側辺部以外の側辺部に設けられて前記帯状部材の一端を連結可能な第１の連結具と、前記折返部の底辺部に設けられて前記帯状部材の他端を連結可能な第２の連結具とを有する構成としたことを特徴とする前記（１）乃至（４）のうち、いずれか１に記載のペット用シート。
【００１６】
（８）前記折返部は、折返部の中央部近傍を吊り上げ可能な吊上具を設ける構成としたことを特徴とする前記（１）乃至（７）のうち、いずれか１に記載のペット用シート。
【００１７】
（９）前記係止部は、前記袋部の両端部から所定の長さだけ中央部に寄った袋口部に設ける構成としたことを特徴とする前記（１）乃至（８）のうち、いずれか１に記載のペット用シート。
【００１８】
（１０）前記シート本体は、撥水性・耐候性・耐水性等を有するポリエステルその他の合成樹脂製のシート表面部と、耐候性・耐水性・耐熱性・耐電圧性を有するポリ塩化ビニルその他の合成樹脂製材をコーティングしてあるシート裏面部とにより形成されている前記（１）乃至（９）のうち、いずれか１に記載のペット用シート。
【発明の効果】
【００１９】
本発明に係る（１）及び（２）の手段によれば、犬や猫等のペットを車両に乗せる場合に、ペットの抜け毛・餌・排泄物等により、車両の座席やフロアの汚損を防止することが可能であり、かつ、ペット用シートをシート状又は袋状にすることを適宜選択して使用でき、相互の形状を容易に変更することができる。また、不使用時の収納や携行に便利なようにコンパクトに折り畳むことができる。さらに、本発明に係るペット用シートは、折返部を固定手段に固定し袋状にして使用することにより、ペット用シートの前後は勿論、車両の内壁面（ドアの内側など）側も広く覆うことができるため、ペットが車両の内壁面を傷付けることも防止することができる。また、（３）の手段によれば、抜け毛のような細かいゴミ等が袋部内に入り込んで捕捉されるので、シート本体の両側からゴミが落ちにくくなり、車両内の清潔を保つことができる。また、（４）の手段によれば、経済的に量産可能となり、生産コストを低減することができる。また、（５）及び（６）の手段によれば、特に車両等の前部座席及び後部座席を利用して車内での利用に適するものとすることができる。また、（７）の手段によれば、特に車両等の座席にヘッドレストがない場合であってもシート本体を固定することができる。また、（８）の手段によれば、折返部中央部を吊上げることによって、折返部が撓まず車両の内壁面（ドアの内側など）側を露出しにくくなくるので、ペットが車両の内壁面を傷付けることを更に確実に防止することができる。また、（９）の手段によれば、より確実にペット収用スペースを形成することができる。また、（１０）の手段によれば、シート本体の清掃等が容易となる。
【発明を実施するための最良の形態】
【００２０】
図１（ａ）は、本発明の一実施形態によるペット用シートの上面図であり、（ｂ）はＡ−Ａ部分断面図、図２は、本発明に係るペット用シートの使用形態を例示する斜視図、図３は、本発明に係るペット用シートの別の使用形態を例示する斜視図である。
【００２１】
図１の（ａ）に示すように、本発明に係るペット用シートは、全体が略シート状であって、このシート状の側辺部１６に折返部１３を有するシート本体１０と、シート本体１０に設けられてシート本体１０を所定の場所に固定可能な固定手段（２２，２３，３１）を備えている。これとともに、折返部１３は固定手段（２２）に係止可能な係止部２１を有する。
【００２２】
シート本体１０の表面部（符号なし）は、ペット自体及びペットの抜け毛及び排泄物等が直に触れる可能性を考慮し、撥水性、耐候性、耐水性等を有するポリエステルや、その他の合成樹脂素材が好適である。また、シート本体１０の裏面部（符号なし）は、車両の座席１５の外面に直に触れることから、耐候性、耐水性、耐熱性、耐電圧性を有するポリ塩化ビニルや、その他の合成樹脂素材によってコーティングされる事が好適である。
【００２３】
前記固定手段（２２，２３，３１）は、タブ等を介してシート本体１０側に取り付けられた止め輪等の連結具２２，２３と、連結具２２，２３に両端が着脱自在に係止される帯状部材としての係留用ベルト３１とにより構成されている。
【００２４】
係留用ベルト３１は、帯状あるいは紐状のようなものでよく、適宜長さ調節が可能になっており、その両端部には係止具２１および連結具２２，２３に着脱自在に係止するためのナス環（カラビナ）等（符号なし）が取り付けられている。したがって、係留用ベルト３１の一端のナス環を連結具２２に連結し、係留ベルト３１を車両の座席のヘッドレスト４２に周回させて、その他端のナス環を連結具２３に連結することによって、シート本体を車両の座席に固定することが可能となる。
【００２５】
折返部１３は、図１（ｂ）にその部分拡大断面を示すように、シート本体１０の一対の側辺部１６が、シート本体１０の中央面部１１に向って折り返されることにより、袋部底辺部１６ａを有する袋部１３（折返部と同一参照符号を使用）が形成されている。この袋部（折返部）１３の両側辺部である両端部１５は結合して閉じられている。本実施の形態においては、両端部１５が結合されているものであるが、本発明はかかる構成に限られず、両端部１５が結合していなくてもよく、一方の端部だけが結合しているものでもよい。
【００２６】
シート本体１０の縁端は、図１の（ｂ）に示すように、たとえば縁かがりなどによる補強部１７が形成されている。
【００２７】
係止部２１は袋部１３の袋口部１４に取り付けられている。その取付け位置は、袋口部１４の両幅端から所定長さだけ内側寄りの位置であって、本実施形態では、各袋口部１４に２個所ずつ計４箇所に取り付けられている。係止部２１は、係留用ベルト３１の一端を着脱自在に係止させる。
【００２８】
本実施の形態において、連結具２２，２３は、シート本体１０の前後縁辺部１２、すなわち折返部１３が形成されている一対の側辺部以外の側辺部に、２箇所ずつ設けられている。さらにその位置関係について詳述すると、連結具２２は、前後縁辺部１２のうち、係止部２１を基準として一対の側辺部１６寄りに設けられており、一方、連結具２３は、連結具２２よりも前後縁辺部１２の中央部寄りに設け、連結具２２，２３を離間して配置している。
【００２９】
図１（ａ）に示すように、係止部２１及び連結具２２，２３の前記のような配置によって、折返部１３を、破線を山折り、一点差線を谷折りにして係止部２１を連結具２２とともに係留用ベルト３１のナス環（符号なし）で連結すれば、折返部１３の立ち上がり、シート本体１０の中央面部１１を底面とし、シート本体１０の前後縁辺部１２近傍及び折返部１３が中央面部１１と略垂直面となる側面を形成して、本発明に係るペット用シートを全体として袋状に形成することが可能となる。また、係止部２１と係留用ベルト３１のナス環（符号なし）との連結を解除することによって、折返部１３の立ち上がりが解除されてシート本体１０と折返部１３とが略平行面となり、本発明に係るペット用シートを全体として略シート状にすることが可能となる。さらに、連結具２２と連結具２３は離間配置することによって、前後縁辺部１２の撓みをなくして車両の座席等が露出することが防止できる。
【００３０】
袋部（折返部）１３の袋口部１４中央付近に配設された係止具（吊上具）２４は、係留ベルト３２と共に、袋部（折返部）１３の中央部近傍を吊り上げ可能な吊上具（２４，３２）を形成する。係留用ベルト３１は適宜長さ調節が可能になっている。係止部２１を連結具２２とともに係留用ベルト３１のナス環（符号なし）で連結し、シート本体１０全体を袋状に形成した場合に、吊上具（２４，３２）を、例えば車内の補助グリップ４３に係止して袋部（折返部）１３の中央部近傍を吊上げることによって、袋部（折返部）１３が撓まず車両の内壁面（ドアの内側など）側を露出しにくくすることができるので、ペットが車両の内壁面を傷付けることを更に確実に防止することができる。
【００３１】
図１に示すように、一対の袋部１３の各底辺部１６ａには、係留用ベルト３１を着脱自在に連結させる連結具２５が設けられている。連結具２５は、袋部１３の各底辺部１６ａのうち、袋部１３の両端部１５から所定の長さだけ離れた位置に設けられている。
【００３２】
連結具２３は、一対の側辺部１６以外の側辺部としての前後縁辺部１２に設けられて、帯状部材としての係留ベルト３１の一端を連結可能な第１の連結具をとなる。また、連結具２５は、袋部１３の底辺部１６ａに設けられて係留ベルト３１の他端を連結可能な第２の連結具となる。したがって、図２に示すように、係留ベルト３１は、ヘッドレストの存在しない座席４１の背もたれ部の角部にも係止可能であるので、シート本体１０をヘッドレストの存在しない座席を有する車両においても適切に固定することが可能となる。
【００３３】
本発明に係るペット用シートは、全体が略シート状であって、該シート状の側辺部１６に折返部１３を有するシート本体１０と、シート本体１０に設けられてシート本体を所定の場所に固定可能な固定手段（２２，２３，３１）を備え、さらに、折返部１３は、固定手段（２２，２３，３１）に係止可能な係止部２１を有するが、これにより、たとえば不使用時の収納や携行に便利なようにコンパクトに折り畳むことができるとともに、たとえば乗用車等の車両内に設置してペットを安全かつ安定に収容するのに使用して好適ある。さらに、状況に応じた多様な使用方法が可能であり、かつその使用態様の変更が容易な構成となっている。
【００３４】
たとえば、図２に示すように、車両の前と後の各座席４１にヘッドレスト４２が付いている場合は、ヘッドレスト４２に回した係留ベルト３１の両端を連結具２２，２３に係止させることにより、前と後の両座席４１に跨るＵ字状のペット収容部が形成される。これにより、ペットの抜け毛・排泄物等は、前後方向は勿論、左右方向にも折返部１３の内側に入り込んで外側に漏れ出さないので、座席４１やフロアの汚損を防止できる。
【００３５】
すなわち、折返部（袋部）１３の袋口部１４がシート本体１０の中央面部１１側をはさんで互いに向き合う形になることにより、抜け毛等の細かいゴミがその袋口部１４から袋部１３内に入り込んで捕捉されるようになる。この結果、シート本体１０の両側からゴミが落ちにくくなって、車両内の清潔を保つことができる。
【００３６】
このゴミ落ち防止の効果は、シート本体１０が図２に示すようなＵ字状、すなわちシート状に設置されることで、袋部１３の両側辺部（両端部）１５が上方を向くので、その袋部１３の両側辺部（両端部）１５が結合していない状態でも得ることができる。
【００３７】
図２に部分的に示すように、座席４１にヘッドレストが付いていない場合は、２つの連結具２３，２５に両端が連結された係留ベルト３１を座席シート４１の角部に三角状に掛けることにより、シート本体１０を前後２つの座席４１の間にＵ字状に広げて設置して使用することができる。
【００３８】
また、Ｕ字状（シート状）の設置状態において、連結具２２に連結する係留ベルト３１の一端を袋口部１４側の係止部２１にも一緒に係止連結させることにより、具体的には、係留ベルト３１の端部に取り付けてあるナス環（符号なし）を係止部２１と連結具２２の両方に一緒に係止連結させて、折返部１３を座席４１の上部へ吊り上げることにより、図３に示すように、側方が折返部１３によって囲繞された大きな矩形袋状のペット収容スペースを形成することができる。これにより、たとえば運転中でもペットを安全かつ安定に収容させることができる。また、側方が折返部１３によって囲繞され、ペット用シート１０の前後は勿論、車両の内壁面（ドアの内側など）側も広く覆うことができるため、ペットが車両の内壁面を傷付けることも防止することができる。しかも、Ｕ字状の設置状態から矩形袋状のペット収容スペースを形成する設置状態への変更は、各係止部２１をそれぞれ対応する連結具２３に連結されている係留ベルト３１のナス環（カラビナ）（符号なし）に連結すればよいだけであるので、作業的には極めて簡易に変更することが可能である。
【００３９】
このように形成される矩形袋状のペット収容スペースはハード容器ではなく、シートで囲まれたいわばソフト容器であるため、ペットの居住性はきわめて良好であり、また、急停車時や急カーブ等におけるペットおよび同乗者の安全確保に有用である。
【００４０】
前記のように形成される矩形袋状のペット収容スペースは、袋部１３の両側辺部（両端部）１５を結合して閉じることにより、コーナー部に隙間が無いシームレス構造を呈することができるので、汚れの拡散防止にも非常に有効である。
【００４１】
また、図３に示すように、係止具（吊上具）２４と、車両の補助グリップ４３に通した係留ベルト（吊上具）３２とによって、袋口部１４の中央部を吊り上げることにより、折返部１３が撓まず車両の内壁面（ドアの内側など）側を露出しにくくでき、ペットが車両の内壁面を傷付けることを更に確実に防止することができる。
【００４２】
さらに、係止部２１と連結具２２間の連結を任意の個所で選択的に解除するとともに、その解除する位置の組み合わせにより、様々な収容形態を形作ることができる。
【００４３】
以上、本発明をその代表的な実施例に基づいて説明したが、本発明は上述した以外にも種々の態様が可能である。たとえば、袋部１３は、折返しではなくなく、別途裁断したシート部材の貼り付けや縫い付け等によって形成することができる。
【００４４】
この場合、シート本体１０の素材であるシート原反を幅を短くすることができるので、特別幅広のシート原反を特注しなくても、規格品で量産されているシート材を用いて必要サイズのシート本体を形成することができる。
【００４５】
また、袋部１３を折り返しで形成するためには、シートが３重になるため、シート素材が単一枚でも十分な強度を確保できる場合には、その３重の部分にてシート素材の利用に無駄が生じる。しかし、別途裁断したシート部材で袋部１３を形成すれば、無駄な３重部分を形成しなくても済み、経済的である。
【産業上の利用可能性】
【００４６】
たとえば不使用時の収納や携行に便利なようにコンパクトに折り畳むことができるとともに、たとえば乗用車等の車両内に設置してペットを安全かつ安定に収容するのに使用して好適あり、さらに状況に応じた多様な使用方法が可能なペット用シートを提供することができる。
【図面の簡単な説明】
【００４７】
【図１】（ａ）は、本発明の一実施形態によるペット用シートの上面図、（ｂ）は、Ａ−Ａ部分断面図である。
【図２】本発明に係るペット用シートの使用形態を例示する斜視図である。
【図３】本発明に係るペット用シートの別の使用形態を例示する斜視図である。
【符号の説明】
【００４８】
１０    シート本体
１１    中央面部
１２    前後縁辺部（一対の側辺部以外の側辺部）
１３    袋部（折返部）
１４    袋口部
１５    袋部の両端部
１６    一対の側辺部
１６ａ  袋部の底辺部
１７    補強部
２１    係止部
２２    連結具（固定手段）
２３    連結具（第１の連結具）
２４    係止具（吊上具）
２５    連結具（第２の連結具）
３１    係留ベルト（固定手段・帯状部材）
３２    係留ベルト（吊上具）
４１    座席
４２    ヘッドレスト
４３    補助グリップ
【図１】
2005333834.tif 000003
【図２】
2005333834.tif 000004
【図３】
2005333834.tif 000005